(57)【要約】【課題】  ペダル装置を備えた陶芸用ろくろにおいて、ペダル装置の取替えを容易にすることにある。【解決手段】  このペダル装置９は、陶芸用ろくろ１のターンテーブル３の回転を制御するための装置であって、筐体部１１と、操作ペダル１３と、接続コード２１とを備えている。操作ペダル１３は、筐体部１１に回動自在に装着される。接続コード２１は、筐体部１１からろくろ本体側に延びるとともに、先端部がろくろ本体に着脱自在に連結される。【選択図】      図２
2005074803.tif 000002
【特許請求の範囲】
【請求項１】
陶芸用ろくろのろくろ本体のターンテーブルの回転を制御するためのペダル装置であって、
筐体部と、
前記筐体部に回動自在に装着される操作ペダルと、
前記筐体部から前記ろくろ本体側に延びるとともに、先端部が前記ろくろ本体に着脱自在に連結される接続コードと、
を備えた陶芸用ろくろのペダル装置。
【請求項２】
前記筐体部の内部に配置され、前記操作ペダルと前記筐体部との相対角度を検知し、検知した前記相対角度に応じて前記ターンテーブルの回転を制御するよう動作する角度検知手段と、
前記操作ペダルの初期角度位置を調節するための調節部材とをさらに備えた、
請求項１に記載の陶芸用ろくろのペダル装置。
【請求項３】
前記角度検知手段は、前記相対角度によって抵抗が変化する可変抵抗器である、請求項２に記載の陶芸用ろくろのペダル装置。
【請求項４】
前記調節部材は、前記操作ペダルが回動により当接し得るように前記筐体部に配置され、前記操作ペダルと当接することで前記操作ペダルの初期角度位置を規制する、請求項２または３に記載の陶芸用ろくろのペダル装置。
【請求項５】
前記調節部材は、前記筐体部に螺合し、そのねじ込み高さを調節可能なボルトである、請求項２から４のいずれかに記載の陶芸用ろくろのペダル装置。
【請求項６】
前記操作ペダルは、回動により前記調節部材に当接し得る部位に配置された弾性部材を有している、請求項４または５に記載の陶芸用ろくろのペダル装置。
【請求項７】
前記可変抵抗器は、前記筐体部のブラケットに絶縁部材を介して取り付けられている、請求項２から６のいずれかに記載の陶芸用ろくろのペダル装置。
【請求項８】
前記筐体部の内部に回転自在に支持され、前記操作ペダルの回動を前記可変抵抗器に伝達する複数のギヤをさらに備え、
前記複数のギヤの少なくとも１つは絶縁性材料で形成されている、
請求項７に記載の陶芸用ろくろのペダル装置。
【請求項９】
前記接続コードは、前記ろくろ本体に着脱自在なコネクタを先端部に有する、請求項１から８のいずれかに記載の陶芸用ろくろのペダル装置。
【請求項１０】
ターンテーブルと、
前記ターンテーブルを回転駆動させるモータと、
前記モータを支持する支持台と、
請求項１から９のいずれかに記載のペダル装置と、
を備えた陶芸用ろくろ。
【発明の詳細な説明】
【技術分野】
【０００１】
本発明は、陶芸用ろくろのペダル装置、特に、陶芸用ろくろのターンテーブルの回転を制御するためのペダル装置に関する。また、本発明は、そのようなペダル装置を備えた陶芸用ろくろに関する。
【背景技術】
【０００２】
陶芸用ろくろは、一般に、ターンテーブルと、ターンテーブルを回転駆動するためのモータと、モータが取り付けられる支持台と、ターンテーブルの回転数を操作するための操作部材とを備えている。このような陶芸用ろくろでは、作陶者が、操作部材を操作することでターンテーブルの回転数を調節することができるようになっている。
【０００３】
陶芸用ろくろの操作部材として、ペダル装置を備えたものは既に提案されている（例えば、特許文献１及び２参照）。このようなペダル装置は、一般に、筐体部と、操作ペダルと、可変抵抗器と、接続用コードとを備えている。操作ペダルは、筐体部に水平軸周りに回動自在に装着されている。可変抵抗器は、筐体部内部に設けられ、操作角度に応じて抵抗が変化するよう構成されている。接続用コードは、筐体部とろくろ本体とを電気的に接続するためのものである。
【０００４】
この陶芸用ろくろでは、作陶者が足で操作ペダルを踏んで操作角度を変えると、可変抵抗器の抵抗が変化して、これにより、ターンテーブルの回転数が変化する。
【特許文献１】特開平１１−２０７７１３号公報
【特許文献２】米国特許第３７９６１０５号明細書
【発明の開示】
【発明が解決しようとする課題】
【０００５】
上記従来のペダル装置は、作陶者が足で操作するという性質上しばしば故障するにもかかわらず、接続コードを介してろくろ本体とつながっているために、ろくろ本体ごと修理に出さなければならず、修理期間にろくろを使用できなくなっていた。この点、仮にペダル装置がろくろ本体から分離可能に構成されていれば、ペダル装置のみを修理に出している間も、代用のペダル装置を用いることで、作陶を続けることができる。
【０００６】
ところで、陶芸用ろくろを製造する際には、操作ペダルとろくろ本体とは、通常、１対１の関係で回転数及びこれに対応する操作角度が設定される。すなわち、操作ペダルが回動可能な角度範囲は、ターンテーブルの回転数の範囲（回転数０から最高速回転時の回転数までの範囲）に対応して決定されており、１つのペダル装置がある特定のろくろ本体に適合するように調整されている。
【０００７】
それゆえ、上記のようにペダル装置をろくろ本体から分離可能に構成した場合、ペダル装置が故障して新たなものと取り替えると、製造後の調整を経ていないため、ペダルの踏込み量とターンテーブルの回転数においてミスマッチが起きる可能性がある。すなわち、操作ペダルを踏んでもターンテーブルがしばらくの間回転せず、深く踏み込んでも所定の最高回転数で回転しなかったり、あるいは、操作ペダルを全く踏み込んでいないにも関わらず、電源スイッチを入れるとターンテーブルが勝手に回り出したりするなどの不具合が生じる可能性がある。特に、後者の場合、安全装置を備えているろくろにおいてモータが作動しなくなる事態が生じる。なぜならば、ろくろの安全装置は、電源スイッチを切って再度入れる場合に操作ペダルを初期角度位置（ターンテーブルの回転数０を示すペダル角度）に戻さないとモータが作動しないようになっているため、初期角度位置を検出できない場合にモータが作動しないからである。
【０００８】
そして、こうした不都合が生じた場合、筐体部から操作ペダルを取り外し、筐体部の内側に指を入れて可変抵抗器のボリュームを回すことでゼロ点調整を行う必要があるが、このような作業は作陶者にとって負担が大きく、困難である。
【０００９】
本発明の目的は、ペダル装置を備えた陶芸用ろくろにおいて、ペダル装置が故障した場合に、ペダル装置を容易に取り替えられるようにすることにある。
【００１０】
本発明の別の目的は、ろくろ本体から分離可能なペダル装置を備えたろくろにおいて、ペダル装置の回動量とターンテーブルの回転量の対応関係を、ペダル装置の外部から容易に調整可能にすることにある。
【課題を解決するための手段】
【００１１】
請求項１に係るペダル装置は、陶芸用ろくろのろくろ本体のターンテーブルの回転を制御するためのペダル装置であって、筐体部と、操作ペダルと、接続コードとを備えている。操作ペダルは、筐体部に回動自在に装着される。接続コードは、筐体部からろくろ本体側に延びるとともに、先端部がろくろ本体に着脱自在に連結される。
【００１２】
請求項２に係るペダル装置は、請求項１のペダル装置において、角度検知手段と、調節部材とをさらに備えている。角度検知手段は、筐体部の内部に配置され、筐体部と操作ペダルの相対角度を検知するとともに、検知した相対角度に応じてターンテーブルの回転を制御するよう動作する。調節部材は、操作ペダルの初期角度位置を調節するための部材である。
【００１３】
請求項３に係るペダル装置は、請求項２のペダル装置において、角度検知手段は、相対角度によって抵抗が変化する可変抵抗器である。
【００１４】
請求項４に係るペダル装置は、請求項２または３のペダル装置において、調節部材は、操作ペダルが回動により当接し得るように筐体部の部位に配置され、操作ペダルと当接することで操作ペダルの初期角度位置を規制する。
【００１５】
請求項５に係るペダル装置は、請求項２から４のいずれかのペダル装置において、調節部材は、筐体部に螺合し、そのねじ込み高さを調節可能なボルトである。
【００１６】
請求項６に係るペダル装置は、請求項４または５のペダル装置において、操作ペダルは、回動により調節部材に当接し得る部位に配置された弾性部材を有している。
【００１７】
請求項７に係るペダル装置は、請求項２から６のいずれかのペダル装置において、可変抵抗器は、筐体部のブラケットに絶縁部材を介して取り付けられている。
【００１８】
請求項８に係るペダル装置は、請求項７のペダル装置において、複数のギヤをさらに備えている。複数のギヤは、筐体部の内部に回転自在に支持され、操作ペダルの回動を可変抵抗器に伝達する。複数のギヤの少なくとも１つは絶縁性材料で形成されている。
【００１９】
請求項９に係るペダル装置は、請求項１から８のいずれかのペダル装置において、接続コードは、ろくろ本体に着脱自在なコネクタを先端部に有する。
【００２０】
請求項１０に記載の陶芸用ろくろは、ターンテーブルと、モータと、支持台と、ペダル装置とを備えている。モータは、ターンテーブルを回転駆動させる。支持台は、モータを支持する。ペダル装置は、請求項１から９のいずれかに記載の装置である。
【発明の効果】
【００２１】
請求項１のペダル装置では、ペダル装置を容易に取り替えることができる。また、ペダル装置が故障した場合に、例えば、ペダル装置のみを修理に出して、代用のペダル装置を用意してろくろ本体に接続することで、故障したペダル装置が修理される間も陶芸を行うことが期待できる。
【００２２】
請求項２のペダル装置では、作陶者が操作ペダルを踏み込んだ場合に、それが角度検知手段によって検知され、検知された相対角度に応じてターンテーブルの回転が制御される。そして、このペダル装置では、調節部材を操作して、操作ペダルの初期角度位置を調節することができるため、初期設定時と異なるろくろにつないで使用する場合であっても、当該ろくろのターンテーブルの回転数に合わせることができる。すなわち、このペダル装置によれば、本体部から分離可能としたことにより生じる不都合を解消することができる。
【００２３】
請求項３のペダル装置では、具体的に、筐体部と操作ペダルの相対角度は、可変抵抗器により検知されるが、検知された相対角度に応じて抵抗が変化することで、ターンテーブルの回転数が変化する。
【００２４】
請求項４のペダル装置では、具体的に、調節部材を操作して、操作ペダルの初期設定位置を変えることができる。
【００２５】
請求項５のペダル装置では、具体的に、ボルトのねじ込み高さを調節することで操作ペダルの初期角度位置を変更することができるため、調節作業が容易である。
【００２６】
請求項６のペダル装置では、操作ペダルは、弾性部材を介して調節部材に当接するため、調節部材に必要以上の力が及んで損傷すること等を防止できる。
【００２７】
請求項７のペダル装置では、可変抵抗器からの電流が操作ペダルに流れないようになっているため、漏電を防止することができる。
【００２８】
請求項８のペダル装置では、操作ペダルの回動によって複数のギヤが回転し、これに伴って、可変抵抗器の抵抗が変化する。ここでは、具体的に、少なくとも１つのギヤを絶縁材料で構成することで、感電防止を図っている。
【００２９】
請求項９のペダル装置では、接続用コードの先端部がコネクタを有しているため、本体部との着脱を容易に行える。
【００３０】
請求項１０の陶芸用ろくろでは、ペダル装置が故障した際にペダル装置のみを取り替えられるとともに、操作ペダルの初期角度位置を調節することで、製造時と異なるろくろ及びペダル装置を組み合わせて使用することにより生じるミスマッチング問題を解消することができる。
【発明を実施するための最良の形態】
【００３１】
［陶芸用ろくろの全体構成］
図１に、本発明の一実施形態が採用された陶芸用ろくろ１を示す。
【００３２】
この陶芸用ろくろ１は、ターンテーブル３と、どべ受け４と、モータ５と、支持台７と、ペダル装置９とを備えている。
【００３３】
ターンテーブル３は、円板状部材であり、上面側において作業が行われる。ターンテーブル３は、ここでは、モータ５の回転軸（図示せず）に直接装着されている。
【００３４】
どべ受け４は、ターンテーブル３の下方及び側方を覆うよう配置された皿状の部材であり、ターンテーブル３の上面から飛び散るまたは落下するどべ等を受けるためのものである。
【００３５】
モータ５は、ターンテーブル３を回転駆動させるためのものであり、ここでは、ＤＤモータ、好ましくはＤＣブラシレスモータが用いられる。モータ５は、支持台７のモータカバー７ｂ（後述）に内蔵されている。
【００３６】
支持台７は、ターンテーブル３を水平に支持するための台であり、天板部７ａと、モータカバー７ｂと、脚部７ｃとを有している。モータカバー７ｂは、天板部７ａの下面側に形成されており、モータ５の他に制御装置（図示せず）を内蔵している。モータカバー７ｂの側面には、電源スイッチ８、正転／逆転切替つまみ１０が設けられている。脚部７ｃは、天板部７ａの下面側の３カ所に下方に延びて取り付けられている。
【００３７】
［ペダル装置］
ペダル装置９は、ターンテーブル３の回転数を制御するための装置であって、図２から図５に示すように、筐体部１１と、操作ペダル１３と、可変抵抗器１５と、ギヤ３３および４１と、ストッパーボルト１９と、接続用コード２１とを備えている。
【００３８】
筐体部１１は、床、台等に載置されるアルミ合金製の部材である。筐体部１１の側面には、接続用コード２１と連結可能なコネクタ２３が設けられている。また、筐体部１１の内側には、可変抵抗器１５が取り付けられたブラケット２５が配置されている。さらに、筐体部１１には、操作ペダル１３のシャフト３１（後述）が貫通して配置されている。また、筐体部１１の上面には閉姿勢にある操作ペダル１３が当接し得る部位にゴム製のクッショニング片２７が取り付けられている。さらに、筐体部１１の後方部には、他の部分より低く凹んだ段部１１ａが形成されている。段部１１ａには、ストッパーボルト１９が螺号可能なネジ孔１１ｂが形成されている。
【００３９】
操作ペダル１３は、作陶者が足を乗せて操作するための金属製の部材である。操作ペダル１３は、筐体部１１にシャフト３１回りに回動自在に装着されており、図２に示す閉姿勢と図３に示す開姿勢とを取り得る。操作ペダル１３は、ペダル本体１３ａと、ペダル本体１３ａの長手方向中央部から筐体部１１の下方に延びる１対の挟持部１３ｂと、１対の挟持部１３ｂを貫通して装着されたシャフト３１とを有している。ペダル本体１３ａは、筐体部１１の段部１１ａに装着されたストッパーボルト１９に当接し得る部位にゴム製のクッショニング片３２が取り付けられている。１対の挟持部１３ｂは、側面部１１ｃを両側から挟持するよう形成されている。シャフト３１は、金属製部材であり、両端部がナット３０によりペダル本体１３ａに固定されている。シャフト３１の軸方向中央部には、ギヤ３３が回転可能に取り付けられている。ギヤ３３は、プラスチック製であり、可変抵抗器１５のシャフトに嵌められたギヤ４１（後述）に係合している。
【００４０】
可変抵抗器１５は、モータ５を流れる電流について抵抗値を変化させるためのものであり、筐体部１１のブラケット２５に固定されている。可変抵抗器１５は、シャフトに嵌められたギヤ４１を有しており、このシャフトに嵌められたギヤ４１が回動することで抵抗値が変化する。可変抵抗器１５の抵抗値は、操作ペダル１３が開姿勢にある場合に、ターンテーブル３の回転数が０となるよう設定されるとともに、操作ペダル１３が閉姿勢にある場合に、ターンテーブル３が最高回転数で回転するよう設定されている。
【００４１】
ストッパーボルト１９は、操作ペダル１３の初期角度位置（本実施形態では、操作ペダル１３が開姿勢にあるときの角度位置）を調節するための部材である。ストッパーボルト１９は、筐体部１１の段部１１ａに鉛直方向にねじ込み可能に装着されている。また、ストッパーボルト１９は、操作ペダル１３がクッショニング片３２を介して当接することで、操作ペダル１３の回動を規制する。
【００４２】
接続用コード２１は、筐体部１１を陶芸用ろくろ１（ターンテーブル３、モータ５及び支持台７を含む）と電気的に接続するためのものであり、先端部に筐体部１１のコネクタ２３に装着可能なコネクタ２４を有し、起端部にモータカバー７ｂのコネクタ１２に装着可能なコネクタ２２を有している。
【００４３】
このように構成された陶芸ろくろ１を使用する場合は、まず、操作ペダル１３を開姿勢にしてから電源スイッチ８を入れ、足で操作ペダル１３を踏む。すると、操作ペダル１３と一体にシャフト３１及びギヤ３３が回転し、シャフトに嵌められたギヤ４１が回動して可変抵抗器１５の抵抗値を変化させる。これにより、モータ５にかかる電圧が変化し、モータ５が回転駆動してターンテーブル３が回転し始める。また、作陶者は、操作ペダル１３を深く踏み込むことで、ターンテーブル３を高速で回転させることができる。
【００４４】
この陶芸用ろくろ１は、接続用コード２１の先端部にコネクタ２２を設けたことにより陶芸用ろくろ１の本体部から外すことができる。これにより、例えば、このペダル装置９が故障した場合は、同じ構成の他の正常なペダル装置を装着して、ペダル装置９が直るのを待つ間も作陶を行うことができる。なお、以下の本実施形態の説明では、この正常なペダル装置に取り替えられた場合について説明するが、便宜上、元のペダル装置９と同じ符号を用いて説明する。
【００４５】
新たなペダル装置９は、上記陶芸用ろくろ１の本体部に接続されるように調整されていないため、ミスマッチングを生じる可能性がある。しかし、作陶者は、新たなペダル装置９において、ストッパーボルト１９のねじ込み量を変更することで、操作ペダル１３の初期角度位置を調節できるので、そのような不都合を解消できる。
【００４６】
例えば、操作ペダル１３が開姿勢であるにも関わらず電源スイッチ８を入れただけでターンテーブル３が回転を始める場合は、ストッパーボルト１９を筐体部１１に対しねじ込み、ストッパーボルト１９の頭部を下方に配置すればよい。一方、操作ペダル１３を踏み込んでもターンテーブル３がしばらくの間回転しない場合には、ストッパーボルト１９を緩めて、ストッパーボルト１９の頭部を上方に配置すればよい。このような調節操作により、新たな操作ペダル１３を上記陶芸用ろくろ１の本体部とマッチングさせることができる。
【産業上の利用可能性】
【００４７】
本発明のペダル装置によれば、ペダル装置を容易に取り替えることができる。また、ペダル装置が故障した場合でも、例えば、ペダル装置のみを修理に出して、代用のペダル装置を用意してろくろ本体に接続することで、故障したペダル装置が修理される間も作陶を行うことが期待できる。
【００４８】
また、本発明のペダル装置によれば、調節部材を操作して、操作ペダルの初期角度位置を調節することができるため、初期設定時と異なるろくろ本体につないで使用する場合であっても、当該ろくろのターンテーブルの回転数の設定に合わせることができる。すなわち、このペダル装置によれば、本体部から分離可能としたことにより生じる不都合を解消することができる。
【図面の簡単な説明】
【００４９】
【図１】本発明の一実施形態が採用された陶芸用ろくろを一部透視して示す側面図。
【図２】閉姿勢にある前記陶芸用ろくろのペダル装置を一部破断して示す側面図。
【図３】開姿勢にある前記ペダル装置を一部透視及び破断して示す側面図。
【図４】前記ペダル装置を一部透視して示す後方側面図。
【図５】前記ペダル装置を一部破断して示す底面図
【符号の説明】
【００５０】
１  陶芸用ろくろ
３  ターンテーブル
５  モータ
７  支持台
９  ペダル装置
１１  筐体部
１３  操作ペダル
１５  可変抵抗器
１９  ストッパーボルト（調節部材）
２１  接続用コード
２２  コネクタ
３２  クッショニング片（弾性部材）
３３  ギヤ
【図１】
2005074803.tif 000003
【図２】
2005074803.tif 000004
【図３】
2005074803.tif 000005
【図４】
2005074803.tif 000006
【図５】
2005074803.tif 000007